(57)【特許請求の範囲】
【請求項１】
１．８型ｉＶＤＲ、２．５型ｉＶＤＲの両者に共通の端子インターフェイスと、
奥行が１．８型ｉＶＤＲを前記端子インターフェイスに接続して１．８型ｉＶＤＲを収納できるが、２．５型ｉＶＤＲは収納できないサイズのシャーシ本体と、
シャーシ本体のｉＶＤＲ挿入面近傍に設けた押込み型のエジェクト動作開始用ボタンと、
シャーシ本体に設けられる延長シャーシ構体接続部と、
からなる２サイズｉＶＤＲ共用シャーシ構体。
【請求項２】
シャーシ本体のｉＶＤＲ挿入面近傍に設けた光インジケータをさらに有する請求項１に記載の２サイズｉＶＤＲ共用シャーシ構体。
【請求項３】
シャーシ本体のｉＶＤＲ挿入面近傍に設けたエジェクト動作によりｉＶＤＲをアンロードする際の挿入扉開放用の押出駆動部をさらに有する請求項１又は２に記載の２サイズｉＶＤＲ共用シャーシ構体。
【請求項４】
請求項１から３のいずれか一に記載のｉＶＤＲ共用シャーシ構体と、
前記ｉＶＤＲ共用シャーシ構体の延長シャーシ接続部に接続される延長シャーシ構体と、からなる２．５型ｉＶＤＲ専用シャーシ複合構体であって、
前記延長シャーシ構体は、
前記ｉＶＤＲ共用シャーシ構体の端子インターフェイスに２．５型ｉＶＤＲを接続してその全体を収納できる延長サイズを有する延長シャーシ本体と、
前記ｉＶＤＲ共用シャーシ構体のエジェクト動作開始用ボタンを延長シャーシ本体のｉＶＤＲ挿入面近傍から間接的に押込み可能な間接押込部と、
を有する２．５型ｉＶＤＲ専用シャーシ複合構体。
【請求項５】
前記延長シャーシ構体は、
前記ｉＶＤＲ共用シャーシ構体の光インジケータの光を延長シャーシ本体のｉＶＤＲ挿入面近傍に導く導光部を有する請求項４に記載の２．５型ｉＶＤＲ専用シャーシ複合構体。
【請求項６】
前記延長シャーシ構体は、
前記ｉＶＤＲ共用シャーシ構体の押出駆動部の押出を前記延長シャーシ本体のｉＶＤＲ挿入面近傍に伝達する押出伝達部を有する請求項４又は５に記載の２．５型ｉＶＤＲ専用シャーシ複合構体。
【請求項７】
前記延長シャーシ構体は、
延長シャーシ本体のｉＶＤＲ挿入面に配置される２．５型ｉＶＤＲ専用挿入扉であって、１．８型ｉＶＤＲを挿入可能な領域のみに扉開力が加えられてもこれをロックする誤挿入防止ロック部を有する２．５型ｉＶＤＲ専用挿入扉を有する請求項４から６のいずれか一に記載の２．５型ｉＶＤＲ専用シャーシ複合構体。
【請求項８】
前記延長シャーシ構体は、
２．５型ｉＶＤＲ専用挿入扉から１．８型ｉＶＤＲを横向き挿入しようとした場合に奥行方向への押込みを防止する押込み防止部を有する請求項７に記載の２．５型ｉＶＤＲ専用シャーシ複合構体。
【請求項９】
請求項４に記載の延長シャーシ構体。
【請求項１０】
請求項５に記載の延長シャーシ構体。
【請求項１１】
請求項６に記載の延長シャーシ構体。
【請求項１２】
請求項７に記載の延長シャーシ構体。
【請求項１３】
請求項８に記載の延長シャーシ構体。
【発明の詳細な説明】
【技術分野】
【０００１】
本発明は、１．８型および２．５型ｉＶＤＲ（登録商標：Information Versatile Disk for Removable usage）ローダーに利用されるシャーシ構体の製造技術に関する。
【背景技術】
【０００２】
現在、リムーバブルディスク（可搬型記録装置）規格の一つに「ｉＶＤＲ」と称される規格が策定されている（非特許文献１、非特許文献２）。この規格は、既存のハードディスクドライブを収納するカートリッジ型カセットに関して、耐久性や格納データフォーマット、ファイル形式のほか、その機械（外形）寸法や筐体構造、コネクタ仕様などを策定することで、さまざまな装置間でのハードディスクドライブの取り替え使用を容易とする、汎用性を有したリムーバブルディスク規格である。
【０００３】
ところで、ハードディスクドライブ（ＨＤＤ）には、そのプラッタ（記録用円盤）のサイズに応じた複数のサイズが存在しており、このｉＶＤＲで利用されるのは主に２．５インチＨＤＤと１．８インチＨＤＤ（また、１インチＨＤＤ）である。そして、この２．５インチＨＤＤと１．８インチＨＤＤはそのサイズも異なっているため、当然、ｉＶＤＲで定められているそれぞれぞれのＨＤＤ用のｉＶＤＲカートリッジ型カセットの外形寸法も、「８０×１１０×１２．７ミリメートル」と「８０×６７×１０ミリメートル」、という具合に、その高さや奥行長において異なっている。したがって、ｉＶＤＲローダー（カートリッジ型カセットの挿入および格納機構）の製造においては、ぞれぞれのカセットの外形寸法に対応した別々の部品を用い、別々の製造ラインを用意して製造を行っている。
【非特許文献１】「ｉＶＤＲハードディスクドライブ  −ハードウェア規格−  （２．５型Ｓｅｒｉａｌタイプ）  ｖｅｒｓｉｏｎ０．９５」
【非特許文献２】「ｉＶＤＲハードディスクドライブ  −ハードウェア規格−  （１．８型Ｓｅｒｉａｌタイプ）  ｖｅｒｓｉｏｎ０．９５」
【発明の開示】
【発明が解決しようとする課題】
【０００４】
このように現状では２．５型ｉＶＤＲ（カセット）用ローダー、および１．８型ｉＶＤＲ（カセット）用ローダーの製造コストは、部品も製造ラインも別々に用意するため、一つの製造ラインで製造する場合に比べより多くかかってしまう、という課題がある。そこで、本発明は、２．５型ｉＶＤＲローダーに利用される２．５型ｉＶＤＲ専用シャーシ構体を、１．８型ｉＶＤＲローダーと可能な限り同じ製造部品及び製造ラインで製造するための方法を提供することを目的とする。
【０００５】
また、さらに、このようにして製造された２．５型ｉＶＤＲ専用シャーシ構体において、誤って１．８型ｉＶＤＲ（カセット）が挿入されるのを防ぐための機構に関する技術を提供することも目的とする。
【課題を解決するための手段】
【０００６】
以上の目的を達成するために、本発明は、１．８型ｉＶＤＲ、２．５型ｉＶＤＲの両者に共通の端子インターフェイスと、奥行が１．８型ｉＶＤＲを前記端子インターフェイスに接続して１．８型ｉＶＤＲを収納できるが、２．５型ｉＶＤＲは収納できないサイズのシャーシ本体と、シャーシ本体のｉＶＤＲ挿入面近傍に設けた押込み型のエジェクト動作開始用ボタンと、シャーシ本体に設けられる延長シャーシ構体接続部と、からなる２サイズｉＶＤＲ共用シャーシ構体を提供する。
【０００７】
すなわち、上記の通り、２．５型ｉＶＤＲと１．８型ｉＶＤＲの外形寸法は、その幅において「８０ミリメートル」と等しい。また、高さも後述するように狭幅員部分の差のみであるので容易に両サイズ共用とすることができる。
【０００８】
したがって、上記の２サイズｉＶＤＲ共用シャーシ構体に、奥行長を延長する延長シャーシ構体を追加し２．５型ｉＶＤＲ専用シャーシ複合構体とすることで、１．８型ｉＶＤＲローダー用の製造部品や製造ラインを一部流用して、２．５型ｉＶＤＲローダーを製造することができる、ということである。なお、その延長シャーシ構体は、前記２サイズｉＶＤＲ共用シャーシ構体の端子インターフェイスに２．５型ｉＶＤＲを接続してその全体を収納できる延長サイズを有する延長シャーシ本体と、前記ｉＶＤＲ共用シャーシ構体のエジェクト動作開始用ボタンを延長シャーシ本体のｉＶＤＲ挿入面近傍から間接的に押込み可能な間接押込部と、を有する構成である。
【０００９】
また、この延長シャーシ構体が前記ｉＶＤＲ共用シャーシ構体の光インジケータの光を延長シャーシ本体のｉＶＤＲ挿入面近傍に導く導光部や、前記ｉＶＤＲ共用シャーシ構体の押出駆動部の押出を前記延長シャーシ本体のｉＶＤＲ挿入面近傍に伝達する押出伝達部をさらに有することで、２サイズｉＶＤＲ共用シャーシ構体の光インジケータや押出駆動部を２．５型ｉＶＤＲ専用シャーシ複合構体においても利用可能としても良い。
【００１０】
また、この２サイズｉＶＤＲ共用シャーシ構体と延長シャーシ構体からなる２．５型ｉＶＤＲ専用シャーシ複合構体への、１．８型ｉＶＤＲの誤挿入を防止するための機構として、以下の機構を備える２．５型ｉＶＤＲ専用シャーシ複合構体も提供する。すなわち、前記延長シャーシ構体に、延長シャーシ本体のｉＶＤＲ挿入面に配置される２．５型ｉＶＤＲ専用挿入扉であって、１．８型ｉＶＤＲを挿入可能な領域のみに扉開力が加えられてもこれをロックする誤挿入防止ロック部を有する２．５型ｉＶＤＲ専用挿入扉を有する２．５型ｉＶＤＲ専用シャーシ複合構体である。あるいは、前記延長シャーシ構体に、２．５型ｉＶＤＲ専用挿入扉から１．８型ｉＶＤＲを横向き挿入しようとした場合に奥行方向への押込みを防止する押込み防止部を有する２．５型ｉＶＤＲ専用シャーシ複合構体である。
【００１１】
なお、本発明にて提供する各シャーシ構体は最終製品ではなく、中間部品である。したがって、例えば最終製品のｉＶＤＲローダーを製造する場合は、本発明のシャーシ構体にベゼルなどの化粧板やプラスチック製外殻部品、あるいは挿入口の挿入扉などが別途取り付けられることになる。
【発明の効果】
【００１２】
以上のような構成をとる本発明によって、１．８型と２．５型のｉＶＤＲローダーに利用されるシャーシ構体の製造部品や製造ラインを一部共通化することができるので、その製造コストを抑えることができる。また、製造部品や製造ラインを一部共通化することで資源やエネルギーの浪費を抑えることができるので、自然環境の保護にも資することができる。
【００１３】
また、２．５インチ用ｉＶＤＲローダーへの１．８型ｉＶＤＲの誤挿入を防ぐこともできる。
【発明を実施するための最良の形態】
【００１４】
以下に、図を用いて本発明の実施の形態を説明する。なお、本発明はこれら実施の形態に何ら限定されるものではなく、その要旨を逸脱しない範囲において、種々なる態様で実施しうる。なお、実施例１は、主に請求項１、２，３について説明する。また、実施例２は、主に請求項４，５，６、および９から１３について説明する。また、実施例３は、主に請求項７について説明する。また、実施例４は、主に請求項８について説明する。
【００１５】
≪実施例１≫
<本実施例の概要>
図１に示すのは、本実施例の２サイズｉＶＤＲ共用シャーシ構体の一例を表す概観図である。この図にあるように、本実施例の２サイズｉＶＤＲ共用シャーシ構体（０１００）の一例では、ステンレス製のシャーシ（０１０１）によって外殻部分が形成されている。そして、その内部に設けられた接続端子（０１０２）に所定サイズのｉＶＤＲ用カセットの接続部分が接続され、このシャーシ内部にｉＶＤＲ用カセットを収納可能となっている。また、後述する延長シャーシ構体を接続するための例えばネジ穴（０１０３）などもシャーシ側面や底面などに設けられている。
【００１６】
図２及び図３に示すのは、このシャーシ内部に収納されるｉＶＤＲ用カセットに関して、ｉＶＤＲの規格により定められている機械（外形）寸法を表す図である。この図２にあるように、１．８型ｉＶＤＲの外形寸法は、「８０（幅）×６７（奥行）×１０（高さ）ミリメートル」である。そして、図３にあるように、２．５型ｉＶＤＲの外形寸法は、「８０×１１０×１２．７ミリメートル」である。ただし、図にあるように２．５型ｉＶＤＲは凸型形状をしており、その狭幅員部分（０３０１）の寸法は「７５×１１０×２．７ミリメートル」、狭幅員以外の部分の寸法が「８０×１１０×１０ミリメートル」である。このように２．５型ｉＶＤＲと１．８型ｉＶＤＲとは幅が同じサイズであり、また高さのサイズも狭幅員以外の部分においては同じである
【００１７】
また、ｉＶＤＲローダーに設けられた接続端子との接続部分（レセプター・コネクタ）αは、ｉＶＤＲの規格によって、双方ともその形状および配置位置を同じとして設計される。したがって、シャーシ構体においてｉＶＤＲカセットを収納する部分を、例えば図１６（ａ）に示すような構造とすることで、図（ｂ）や図（ｃ）に示すように両カセットを同一のシャーシ構体に（奥行長の差を除けば）収納することができる。
【００１８】
図４に示すのは、本実施例の２サイズ共用シャーシ構体に１．８型ｉＶＤＲを装着する際の一例と、同じく実施例の２サイズ共用シャーシ構体に２．５型ｉＶＤＲを装着する際の一例と、を示す斜視図である。この図（ａ）にあるように、本実施例の２サイズ共用シャーシ構体では、その接続部分（０４０５ａ）を接続端子（０４０２）に接続させて、１．８型ｉＶＤＲ（０４０４ａ）を、このシャーシ本体（０４０１）内に収納することができる。したがって、本実施例の２サイズ共用シャーシ構体を利用して、１．８型ｉＶＤＲローダーを製造することができる。
【００１９】
一方、図４（ｂ）に示すように、本実施例の２サイズ共用シャーシ構体では、２．５型ｉＶＤＲ（０４０４ｂ）は、１．８型ｉＶＤＲとの奥行長の差分だけこのシャーシ構体からはみだしてしまう。そこで、本実施例の２サイズ共用シャーシ構体では、このシャーシ本体（０４０１）の側面や底面に設けられたネジ穴（０４０３）など用いて延長シャーシ構体を追加することで、２．５型ｉＶＤＲ専用シャーシ複合構体とすることができる。なお、延長シャーシ構体および２．５型ｉＶＤＲ専用シャーシ複合構体に関しては後述の実施例２にて説明する。
【００２０】
このように、本実施例の２サイズ共用シャーシ構体によって、１．８型ｉＶＤＲローダーの製造部品を、２．５型ｉＶＤＲローダーの製造部品の一部とすることができる。したがって、１．８型と２．５型のｉＶＤＲローダーの製造部品や製造ラインを一部共通化することができる。
【００２１】
<本実施例の構造>
図５に示すのは、本実施例における２サイズ共用シャーシ構体の構造の一例を説明するための斜視図である。この図にあるように、本実施例の２サイズ共用シャーシ構体は、「端子インターフェイス」（０５０２）と、「シャーシ本体」（０５０１）と、「エジェクト動作開始用ボタン」（０５０７）と、「延長シャーシ構体接続部」（０５０３）とからなる。
【００２２】
「端子インターフェイス」（０５０２）は、１．８型ｉＶＤＲ、２．５型ｉＶＤＲの両者に共通の端子インターフェイスであり、その構造およびインターフェイスの仕様はｉＶＤＲに定められた「Plug Connector」のものである。具体的には、端子幅３４．９９×１．２３ミリメートル、ピン幅３１．７５ミリメートルでピン数が２６ピンである端子インターフェイスなどが挙げられる。
【００２３】
「シャーシ本体」（０５０１）は、奥行が１．８型ｉＶＤＲを前記端子インターフェイスに接続して１．８型ｉＶＤＲを収納できるが、２．５型ｉＶＤＲは収納できないサイズである。つまりシャーシ本体は、それぞれのサイズのｉＶＤＲを装着した際に、図４で示すような形態となるサイズであることを特徴とし、具体的には、その幅はｉＶＤＲの幅８０ミリメートルに、ｉＶＤＲ（カセット）が載るスライダー板（０５０４）などを含む横幅を加えたサイズである。また高さは１２．７ミリメートルに加え、スイッチ機構（０５０７）やローディング用のギア（０５０５）などの厚みを含むサイズである。また、高さ１０ミリメートルの部位に、ｉＶＤＲカセットを上部から押さえるバネ構造の挟み板（０５１０）を有し、両サイズのｉＶＤＲカセットを内部に固定収納することができる。
【００２４】
そして、このシャーシ本体の奥行長は、端子インターフェイスに奥行長６７ミリメートルの１．８型ｉＶＤＲを接続させた際に、図４の（ａ）に示すように１．８型ｉＶＤＲを収納可能な奥行長に、端子インターフェイスやローディング（アンローディング）用のモーター（０５０６）が格納されるスペースを加えた奥行長となっている。なお、ここでいう「収納できる」とは、必ずしも１．８型ｉＶＤＲ全体が収まる必要はなく、ｉＶＤＲローダーやそのｉＶＤＲローダーを含む装置が支障なく稼動可能であれば、１．８型ｉＶＤＲの一部がシャーシ本体で形成される外殻からはみ出す収納形態も含むものである。また、モーターやギアなどの各部品の配置位置は図示の例に限定されず、例えばモーターが図上方部分に配置されることで、シャーシ本体が正方形状などになっていても構わない。
【００２５】
このように、本実施例の２サイズ共用シャーシ構体を用いて、１．８型ｉＶＤＲ用のローダーを製造することができる。なお、このシャーシ本体の部材は、一般的な強度や剛性、耐久性を有していれば、ステンレスや鉄鋼などの金属材料やプラスチックなどの樹脂材料、あるいはそれ以外でも構わず、特に限定はしない。
【００２６】
そして、さらにこのシャーシ本体の奥行長は、図４（ｂ）に示すように、２．５型ｉＶＤＲを収納すると、そのｉＶＤＲ（カセット）がはみ出てしまう長さであることを特徴とする。そのため、後述する延長シャーシ構体接続部によって延長シャーシ構体を接続することで、本実施例の２サイズ共用シャーシ構体を流用して２．５型ｉＶＤＲを収納可能な２．５型ｉＶＤＲ専用シャーシ複合構体とすることができる。
【００２７】
「エジェクト動作開始用ボタン」（０５０７）は、シャーシ本体のｉＶＤＲ挿入面近傍に設けた押込み型のボタンであり、例えばメカスイッチや電気スイッチなどが挙げられる。以下、このエジェクト動作開始用ボタンの押込みによって開始されるエジェクト動作の一例について説明する。この図にあるように、矢印Ａで示すｉＶＤＲ挿入面近傍に設けられたボタン（０５０７）が押し込まれることで、モーター（０５０６）が回転を開始する。すると、モーターの回転がアンローディング（ローディング）用のギア（０５０５）に伝導され、このギアの回転によってスライダー板（０５０４）が矢印ａ方向にスライドする。それによってスライダー板の上に固定配置されているｉＶＤＲ（カセット）がアンローディングされ、ｉＶＤＲローダーの外部にエジェクトされる、という具合である。また、このアンローディング用のギアに固定され、その回転に連動して移動する図（ｂ）に示す平板（０５０８）が、上記エジェクト動作の際にギアの回転によって矢印ｂ方向に移動し、アンローディング完了スイッチ（０５０９ａ）を入れることで、アンローディング動作完了に合わせてモーターの駆動が終了する。
【００２８】
また、矢印Ａで示す挿入面からｉＶＤＲ（カセット）がスライダー板に挿入された場合には、モーターがエジェクト時とは逆の回転をすることで、今度はスライダー板が矢印ａの逆方向にスライドすることで、ｉＶＤＲ（カセット）がローディングされ端子インターフェイスに自動的に接続されるような構造であっても良い。また、その際にも平板（０５０８）がギアの回転に連動し今度は矢印ｂの逆方向に移動し、ローディング完了スイッチ（０５０９ｂ）を入れることでローディング動作完了に合わせてモーターの駆動がストップすると良い。もちろん、ｉＶＤＲ（カセット）は手動で挿入されるような構造として、その部品点数の削減などを図っても良い。
【００２９】
「延長シャーシ構体接続部」（０５０３）は、シャーシ本体に設けられ、実施例２で説明するような延長シャーシ構体の接続に利用される部位である。この延長シャーシ構体接続部は、例えば図に示すようなネジ穴が挙げられる。その他にも、例えば固定用ピン、プラスチック部材などで形成された鉤の手や、その鉤の手を係合するための穴、あるいは凹部や凸部などさまざま挙げられる。そして、延長シャーシ構体は例えばネジ留めなどされることでこの２サイズ共用シャーシ構体に接続され、実施例２で説明するように２．５型ｉＶＤＲを収納できる奥行長を有するシャーシ構体とすることができる。
【００３０】
<本実施例のその他の例>
図６に示すのは、本実施例における２サイズ共用シャーシ構体の、その他の構造の一例を説明するための斜視図である。この図にあるように、この２サイズ共用シャーシ構体は、さらに「光インジケータ」（０６１１）を有する。
【００３１】
「光インジケータ」（０６１１）は、シャーシ本体のｉＶＤＲ挿入面近傍に設けられ、例えば図に示すようなＬＥＤ（発光ダイオード）で構成される光インジケータが挙げられる。この光インジケータは、例えば所定パターンで明滅させたり、あるいは電圧を変え発光色を変化させたりすることで、ｉＶＤＲの現在のステータス（スタンバイ中、データ読込中など）をユーザーに知らせることなどができる。なお、この光インジケータはＬＥＤには限定されず、それ以外の発光体であっても良い。また、発光体自体が矢印Ａで示すｉＶＤＲ挿入面近傍に設けられている必要はなく、シャーシ本体内部に発光体を備え、アクリル導光管などを介してその発光体の光がｉＶＤＲ挿入面近傍に到達し発光するような構造であっても良い。
【００３２】
図７に示すのは、本実施例における２サイズ共用シャーシ構体の、また別のその他の構造の一例を説明するための斜視図である。この図にあるように、この２サイズ共用シャーシ構体は、さらに「押出駆動部」（０７１２）を有する。なお、図７の（ｂ）は図（ａ）の破線部分を、平板（０７０８）を取り除いて拡大した斜視図であり、図７（ｃ）は、この図（ｂ）の部分を、シャーシ本体を取り除きシャーシの逆方向から見た斜視図である。
【００３３】
「押出駆動部」（０７１２）は、シャーシ本体のｉＶＤＲ挿入面近傍に設けたエジェクト動作によりｉＶＤＲをアンローディングする際の挿入扉開放用の機構である。なお、「挿入扉」とは、１．８型ｉＶＤＲを本実施例の本体シャーシ内に収納するために挿入口付近に別途取り付けられる最終製品用部品であり、異物などの誤挿入や埃などの進入を防ぐ役割を有する。そして、本体シャーシ内に収納されたｉＶＤＲ（カセット）をアンローディングする際に、押出駆動部は例えば以下のような機構によってこの挿入扉を開放する。
【００３４】
この図（ａ）にあるように、まず既に説明したエジェクト時のアンローディング動作によって平板（０７０８）が矢印ａ方向に移動することで、この平板に固定された駆動ピン（０７１３）も同方向に移動する。ここで、図（ｂ）にあるように、この駆動ピン（０７１３）の矢印ａ方向への移動動作によって扉開閉用アーム１（０７１４）がその支点（０７１５）を中心に矢印ｂ方向に回転する。すると、図（ｃ）に示すようにこの扉開閉用アーム１と接続点（０７１６）で接続されている扉開閉用アーム２（０７１７）がその支点（０７１８）を中心に矢印ｃ方向に回転し、その動きが挿入扉との接続点（０７１９）を介して挿入扉に伝達され挿入扉が開く、という具合である。
【００３５】
なお、この挿入扉は、通常はこの２サイズ共用シャーシ構体を１．８型ｉＶＤＲローダーのシャーシとして利用した場合に設けられる部材であって、実施例２の延長シャーシ構体を接続した場合は設けられないことが望ましい。しかし、後述するように、この押出駆動部の扉開閉用アーム１を利用して、延長シャーシ構体においても同様に２．５型ｉＶＤＲ用の挿入扉の開放を行うことができる。また、扉開閉用アーム２は１．８型ｉＶＤＲローダー専用の部品として別途取り付けられるものであるため、実施例２のシャーシ構体においては必ずしも必要な部品ではない。
【００３６】
<本実施例の効果の簡単な説明>
以上のような構造である本実施例の２サイズ共用シャーシ構体は、１．８型と２．５型のｉＶＤＲローダーの両方に利用することができる。したがって両型の製造部品や製造ラインを一部共通化することができるので、その製造コストを抑えることができる。また、製造部品や製造ラインを一部共通化することで資源の浪費を抑えることができるので、自然環境の保護にも資することができる。
【００３７】
≪実施例２≫
<本実施例の概要>
図８に示すのは、本実施例の２．５型ｉＶＤＲ専用シャーシ複合構体の一例を表す概観図である。この図にあるように、本実施例の２．５型ｉＶＤＲ専用シャーシ複合構体（０８００）は、２サイズ共用シャーシ構体の延長シャーシ構体接続部である例えばネジ穴（０８０３）にネジを螺合し、延長シャーシ本体（０８０１）を有する延長シャーシ構体が接続されることで構成されている。そしてそれによって図（ｂ）に示すように２．５型ｉＶＤＲ（０８０４）をその内部に収納することができるようになっている。
【００３８】
<本実施例の構造>
図９に示すのは、本実施例の２．５型ｉＶＤＲ専用シャーシ複合構体を構成する、延長シャーシ構体の一例を表す斜視図である。この図にあるように、延長シャーシ構体は、２サイズｉＶＤＲ共用シャーシ構体の延長シャーシ構体接続部に接続するための、例えばネジ（０９０２ａ〜ｄ）などを有し、さらに「延長シャーシ本体」（０９０１）と、「間接押込部」（０９０３）とからなる。なお、２．５型ｉＶＤＲ専用シャーシ複合構体を構成する２サイズ共用シャーシ構体については、実施例１ですでに記載済みであるのでその説明は省略する。また、その接続は前記ネジによる螺合に限られず、２サイズ共用シャーシ構体の延長シャーシ構体接続部の形態に応じてさまざまであって良い。
【００３９】
「延長シャーシ本体」は、２サイズｉＶＤＲ共用シャーシ構体の端子インターフェイスに２．５型ｉＶＤＲを接続してその全体を収納できる延長サイズを有するシャーシである。つまりこの延長シャーシ本体の奥行長は、２サイズ共用シャーシ構体に収納しきれない２．５型ｉＶＤＲの奥行、すなわち規格で定められた２．５型ｉＶＤＲの奥行長（１１０ミリメートル）と１．８型ｉＶＤＲの奥行長（６７ミリメートル）の差分長＋α程度であることが望ましい。ただし、２サイズ共用シャーシ構体のシャーシ本体と同様、この延長シャーシ本体のサイズも、２．５型ｉＶＤＲ全体が完全に収まるサイズである必要はない。すなわち、「収納できる」とは、ｉＶＤＲローダーやそのｉＶＤＲローダーを含む装置が支障なく稼動可能であれば、２．５型ｉＶＤＲの一部が、２．５型ｉＶＤＲ専用シャーシ複合構体のシャーシで形成される外殻からはみ出すような収納形態も含むものである。また、この延長シャーシ本体の部材も、シャーシ本体同様、ステンレスなど一般的な強度や剛性、耐久性を有していれば特に限定はしない。
【００４０】
「間接押込部」（０９０３）は、２サイズｉＶＤＲ共用シャーシ構体のエジェクト動作開始用ボタンを延長シャーシ本体のｉＶＤＲ挿入面近傍から間接的に押込み可能な機能を有し、例えば延長シャーシ本体にスライド可能に配置された延長押込ガイドなどが挙げられる。
【００４１】
図１０に示すのは、この間接押込部の一例である延長押込ガイドについて説明するための図９破線部分の拡大図、および断面図である。また、図１７に示すのが、この延長押込みガイドの構造の一例を表す図である。これら図にあるように、延長押込ガイド（１００３）は、棒状の板に楕円形の穴が３箇所空けられ、延長シャーシ本体に設けられたスライドガイドピンに嵌め込まれることで矢印ａ方向に押込みスライド可能に配置されている。したがって、ｉＶＤＲ挿入面近傍のこの延長押込ガイドを押し込むことで、アンローディング用のモーターのスイッチ（エジェクト動作開始用ボタン：１００６）が押され、ｉＶＤＲカセットのエジェクトが開始される、という具合である。もちろん、この間接押込部は、エジェクト動作開始用ボタンを延長シャーシ側から押し込むことができれば、その部材や構造などは上記例には限定されない。
【００４２】
また、図９に示すように、本実施例の２．５型ｉＶＤＲ専用シャーシ複合構体の延長シャーシ構体は「導光部」（０９０４）を有していても良い。「導光部」（０９０４）は、２サイズｉＶＤＲ共用シャーシ構体の光インジケータの光を延長シャーシ本体のｉＶＤＲ挿入面近傍に導くための部材であり、例えば図に示すようなＬＥＤ（０９０７）の光を伝えるアクリル導光管や光ファイバーなどが挙げられる。
【００４３】
また、図９に示すように、本実施例の２．５型ｉＶＤＲ専用シャーシ複合構体の延長シャーシ構体は「押出伝達部」（０９０５）を有していても良い。「押出伝達部」（０９０５）は、２サイズｉＶＤＲ共用シャーシ構体の押出駆動部の押出を前記延長シャーシ本体のｉＶＤＲ挿入面近傍に伝達する機能を有する部材である。
【００４４】
図１１に示すのは、この押出伝達部の一例である押出伝達ガイドについて説明するための図である。図１８に示すのは、この押出伝達ガイドの構造の一例を表す図である。これら図にあるように、押出伝達ガイド（１１０５ａ、１１０５ｂ）は、楕円形の穴が２箇所空けられ、延長シャーシ本体に設けられた２つのスライドガイドピンに嵌め込まれることで矢印ａ方向にスライド可能に配置されている。また、この押出伝達ガイドは、共用シャーシ構体のシャーシ本体に設けられた扉開閉用アーム１（実施例１の押出駆動部：１１０４）と連結されている。したがって、実施例１で説明したようにエジェクトによるアンローディング動作の際に、扉開閉用アーム１（１１０４）が支点１を中心に回転し、矢印ｂ方向に動き、その動きがこの押出伝達ガイドに伝達される。するとこの押出伝達ガイドによって開閉用ピン（１１０６）が押され、その動きによって連結板（１１０８）が支点２を中心に矢印Ｃ方向に回転する。それにより連結板と軸接続されている上部挿入扉が回転し開くとともに、連結板（１１０８）に固定され下部挿入扉（１１１０）の開放を抑えているストッパー（１１０９）が外れ、押出伝達ガイドの先端部（１１０７）の力で押された下部挿入扉も開かれる、という具合である。なお、この押出伝達ガイド（１１０５ａ、１１０５ｂ）は一体の部品であってもよいし、共用シャーシ構体側と延長シャーシ構体側とで別個の部品が連結や隣接配置などされて構成されていても良い。
【００４５】
<本実施例の効果の簡単な説明>
以上のように本実施例によって、２サイズ共用シャーシ構体の各機能を活用しつつ２．５型のｉＶＤＲローダーに利用することができる２．５型ｉＶＤＲ専用シャーシ複合構体を提供することができる。
【００４６】
≪実施例３≫
<本実施例の概要>
本実施例は、実施例２の２．５型ｉＶＤＲ専用シャーシ複合構体を利用した２．５型ｉＶＤＲローダーにおいて、１．８型ｉＶＤＲの誤挿入を防止する機構をさらに備えていることを特徴とする。具体的には、本実施例は、その延長シャーシ構体が「誤挿入防止ロック部」を有する「２．５型ｉＶＤＲ専用挿入扉」を有する２．５型ｉＶＤＲ専用シャーシ複合構体である。
【００４７】
<本実施例の構成>
図１２に示すのは、本実施例の２．５型ｉＶＤＲ専用挿入扉の一例について説明するための図である。この図にあるように、「２．５型ｉＶＤＲ専用挿入扉」（１２０１、１２０２）は、延長シャーシ本体のｉＶＤＲ挿入面に上下に配置される。そして、この上扉（１２０１）と下扉（１２０２）の前に、２．５型ｉＶＤＲの挿入面形状に合わせた凸型の挿入口を有するベゼル（１２０３）が配置されている。また凸型挿入口の狭幅員部分をふさぐのが上扉、その他の下部分をふさぐのが下扉となっている。そしてこの凸型の挿入口は、その外形寸法が図３に示す２．５型ｉＶＤＲとほぼ同様のサイズである。したがって、このベゼルの挿入口から２．５型ｉＶＤＲを挿入した場合、上下双方の２．５型ｉＶＤＲ専用挿入扉に対して扉開力が加えられることになる。
【００４８】
ここで、図２に示すように１．８型ｉＶＤＲの挿入面（背面）の形状は「８０×１０ミリメートル」の長方形状であり、この形状は２．５型ｉＶＤＲの凸型挿入面（背面）の狭幅員以外の下部分と同一の形状及び寸法である。したがって、この２．５型ｉＶＤＲ専用挿入扉を有する２．５型専用のｉＶＤＲローダーに１．８型ｉＶＤＲカセットを挿入する場合、下側の２．５型ｉＶＤＲ専用挿入扉（１２０２）のみに扉開力が加えられることになる。また、挿入口の狭幅員部分のサイズは、図３に示すように幅が約７５ミリメートルであるので、幅が８０ミリメートルの１．８型ｉＶＤＲカセットを挿入しようとしてもこのベゼルが邪魔をして挿入できない。したがって、この上側の２．５型ｉＶＤＲ専用挿入扉（１２０１）に対して扉開力が加えられなければ下側の２．５型ｉＶＤＲ専用挿入扉（１２０２）も開かないような「誤挿入防止ロック部」を備えることで、１．８型ｉＶＤＲの誤挿入を防止することができる。
【００４９】
「誤挿入防止ロック部」は、２．５型ｉＶＤＲ専用挿入扉において、１．８型ｉＶＤＲを挿入可能な領域のみに扉開力が加えられてもこれをロックする機能を有する機構である。
【００５０】
図１３に示すのは、この誤挿入防止ロック部の動作の一例について説明するため延長シャーシ本体の一部を拡大した図である。この図にあるように、上下の矢印Ａで示すｉＶＤＲ挿入口には２．５型ｉＶＤＲ専用挿入扉（１３０１，１３０２）が備えられ、下扉（１３０２）は、ストッパー（１３０４）によってその開放が阻害されている。ここで、上扉（１３０１）に扉開力が加えられ回転軸を中心に上扉が矢印ａ方向に回転開放すると、上扉下部に軸連結（１３０６）されているアーム（１３０５）が支点を中心に回転し矢印ｂ方向に動くことになる。すると、このアームに固定されているストッパー（１３０４）も矢印ｂ方向に移動するので下扉の開放が可能になる。このように、下扉にのみ扉開放力が加わってもストッパーが邪魔をして扉は開放されず、上扉に扉開放力が加わり開放されないと下扉も開かない構造となる。
【００５１】
<本実施例の効果の簡単な説明>
以上の構造例のように、１．８型ｉＶＤＲと２．５型ｉＶＤＲの外形寸法における高さの違いなどにより生じる２．５型ｉＶＤＲ専用挿入扉に加わる扉開力の差を利用して、本実施例の２．５型ｉＶＤＲ専用シャーシ複合構体によって、このシャーシ構体を利用した２．５型ｉＶＤＲローダーに誤って１．８型ｉＶＤＲを挿入してしまうことを防止することができる。したがって、１．８型ｉＶＤＲやｉＶＤＲローダーの故障を防ぐことなどができる。
【００５２】
≪実施例４≫
<本実施例の概要>
本実施例も実施例３同様に、２．５型ｉＶＤＲ専用シャーシ複合構体を利用した２．５型ｉＶＤＲローダーにおいて、１．８型ｉＶＤＲの誤挿入を防止する機構をさらに備えていることを特徴とする。具体的には、１．８型ｉＶＤＲを横向き挿入しようとした場合に奥行方向への押込みを防止する押込み防止部を供える２．５型ｉＶＤＲ専用シャーシ複合構体である。
【００５３】
図２に示すように、１．８型ｉＶＤＲカセットの側面寸法は「６７×１０ミリメートル」である。そして、この６７ミリメートルという幅は、図１２に示す前述のベゼル挿入口の狭幅員部分に１．８型ｉＶＤＲカセットを挿入することを可能にする。つまり、１．８型ｉＶＤＲカセットを横向きに挿入する場合、ベゼルに邪魔されず上扉に扉開放力を加えることができるので、実施例３にて説明した誤挿入防止機構が期待通り動作しない、ということになる。そこで、本実施例では１．８型ｉＶＤＲカセットの横向き挿入を防止する押込み防止部を設けることを特徴とする。
【００５４】
<本実施例の構造>
図１４に示すのは、本実施例の押込み防止部の一例を表す図である。この図にあるように、例えば、延長シャーシ本体の内部左右両側面に「押込み防止部」（１４０１ａ、１４０１ｂ）を設ける。この押込み防止部は、横幅が８０ミリメートルのｉＶＤＲカセットが挿入された場合に回転軸を中心に矢印ａに示す上方向に回転退避し、ｉＶＤＲカセットをシャーシ奥まで挿入することができる。一方横幅６７ミリメートルの１．８型ｉＶＤＲを横向き挿入した場合、押込み防止部は退避せずｉＶＤＲカセットはこれにひっかかりシャーシ奥まで挿入できない構造になっている。
【００５５】
図１５に示すのは、この押込み防止部の機構の一例を説明するための拡大図である。この図（ａ）にあるように、押込み防止部は、例えば押込み防止板（１５０１）の一部がコの字型ブロックレバー（１５０２）のコの字部分に押し当てる形で配置されている。ここで図（ｂ）に示すように、横幅が８０ミリメートルのｉＶＤＲカセットが挿入されると、コの字型ブロックレバー（１５０２）の当り部（１５０３）に、そのカセット本体が当たる。すると、挿入カセットに押されることでこのブロックレバーは回転軸１を中心に矢印ｂ方向に動くので、押込み防止板（１５０１）の回転を阻害しているコの字部分が押込み防止板から外れることになる。したがって、この押込み防止板はｉＶＤＲカセット挿入によって回転軸２を中心に矢印ａ方向に退避移動し、ｉＶＤＲカセットをシャーシ奥まで挿入することができる。一方、ｉＶＤＲカセットの横幅が６７ミリメートルであって、カセット本体がコの字型ブロックレバー（１５０２）の当り部（１５０３）に当たらずに押込み防止板に当たる場合、コの字型のストッパーに押さえられて押込み防止板は回転退避することができないのでｉＶＤＲカセットをシャーシ奥まで挿入することができない、という具合である。
【００５６】
<本実施例の効果の簡単な説明>
以上のように、本実施例の２．５型ｉＶＤＲ専用複合シャーシ構体では、押込み防止部によって１．８型ｉＶＤＲの横向き挿入を防止することができる。したがって、１．８型ｉＶＤＲやｉＶＤＲローダーの故障を防ぐことなどができる。
【図面の簡単な説明】
【００５７】
【図１】実施例１の２サイズｉＶＤＲ共用シャーシ構体の一例を表す概観図
【図２】１．８型ｉＶＤＲ（カセット）に関して、ｉＶＤＲの規格により定められている機械（外形）寸法を表す図
【図３】２．５型ｉＶＤＲ（カセット）に関して、ｉＶＤＲの規格により定められている機械（外形）寸法を表す図
【図４】実施例１の２サイズ共用シャーシ構体に１．８型ｉＶＤＲを装着する際の一例と２．５型ｉＶＤＲを装着する際の一例と、を示す斜視図
【図５】実施例１の２サイズ共用シャーシ構体における構造の一例を説明するための斜視図
【図６】実施例１の２サイズ共用シャーシ構体の、その他の構造の一例を説明するための斜視図
【図７】実施例１の２サイズ共用シャーシ構体の、また別のその他の構造の一例を説明するための斜視図
【図８】実施例２の２．５型ｉＶＤＲ専用シャーシ複合構体の一例を表す概観図
【図９】実施例２の２．５型ｉＶＤＲ専用シャーシ複合構体を構成する、延長シャーシ構体の一例を表す斜視図
【図１０】実施例２の２．５型ｉＶＤＲ専用シャーシ複合構体の間接押込部、導光管の一例について説明するための図
【図１１】実施例２の２．５型ｉＶＤＲ専用シャーシ複合構体の押出伝達部の一例について説明するための図
【図１２】実施例３の２．５型ｉＶＤＲ専用シャーシ複合構体の有する２．５型ｉＶＤＲ専用挿入扉の一例について説明するための図
【図１３】実施例３の２．５型ｉＶＤＲ専用シャーシ複合構体の有する誤挿入防止ロック部の一例について説明するため延長シャーシ本体の一部を拡大した図
【図１４】実施例４の２．５型ｉＶＤＲ専用シャーシ複合構体の押込み防止部の一例を表す図
【図１５】実施例４の２．５型ｉＶＤＲ専用シャーシ複合構体の押込み防止部の機構の一例を説明するための拡大図
【図１６】実施例１の２サイズ共用シャーシ構体においてｉＶＤＲカセットを収納する部分を示す模式図
【図１７】実施例２の２．５型ｉＶＤＲ専用シャーシ複合構体における間接押込部の構造の一例を表す図
【図１８】実施例２の２．５型ｉＶＤＲ専用シャーシ複合構体における押出伝達部の構造の一例を表す図
【符号の説明】
【００５８】
０５００  ２サイズ共用シャーシ構体
０５０１  シャーシ本体
０５０２  端子インターフェイス
０５０３  延長シャーシ構体接続部（ネジ穴）
０５０４  スライダー板
０５０５  ローディング用ギア
０５０６  モーター
０５０７  エジェクト動作開始用ボタン
０５０８  平板
０５０９  アンローディング／ローディング完了スイッチ
０５１０  カセット固定用の挟み板
０９００  延長シャーシ構体
０９０１  延長シャーシ本体
０９０２  ネジ
０９０３  間接押込部
０９０４  導光部
０９０５  押出伝達部
【図１】
0004601067.tif 000002
【図２】
0004601067.tif 000003
【図３】
0004601067.tif 000004
【図４】
0004601067.tif 000005
【図５】
0004601067.tif 000006
【図６】
0004601067.tif 000007
【図７】
0004601067.tif 000008
【図８】
0004601067.tif 000009
【図９】
0004601067.tif 000010
【図１０】
0004601067.tif 000011
【図１１】
0004601067.tif 000012
【図１２】
0004601067.tif 000013
【図１３】
0004601067.tif 000014
【図１４】
0004601067.tif 000015
【図１５】
0004601067.tif 000016
【図１６】
0004601067.tif 000017
【図１７】
0004601067.tif 000018
【図１８】
0004601067.tif 000019